(57)【特許請求の範囲】
【請求項１】
内容物を収容するための包材であって、
第１フィルムと、
前記第１フィルムに対して重畳配置される第２フィルムであって、前記第１フィルムとの相互間に前記内容物を収容するための収容領域を確保可能な第２フィルムと、
前記第１フィルム又は前記第２フィルムのうち少なくとも一方の対象フィルムが前記収容領域を露出する方向に向かって反り返るように、前記対象フィルムを付勢する付勢手段と、を備え、
前記収容領域を囲繞する囲繞領域に含まれる領域であって、第１方向に沿った線状の領域である第１領域と、前記囲繞領域に含まれる領域であって、前記第１方向と異なる第２方向に沿った線状の領域であり、前記第１領域に対して接する領域である第２領域と、において、前記第１フィルムと前記第２フィルムとを相互に剥離可能に連結し、
前記付勢手段は、前記対象フィルムに対して取り付けられた付勢ワイヤーであって、前記対象フィルムが前記第１フィルム又は前記第２フィルムのうちの前記対象フィルム以外のフィルムから剥離される方向に向かうように、かつ、前記対象フィルムが前記収容領域を露出する方向に向かって反り返るように、前記対象フィルムを付勢する付勢ワイヤーである、
包材。
【請求項２】
前記第１方向と前記第２方向は相互に直交し、
前記第２領域は、前記第１領域の一方の端部に接する領域と、前記第１領域の他方の端部に接する領域との２箇所に形成される、
請求項１に記載の包材。
【発明の詳細な説明】
【技術分野】
【０００１】
本発明は、包材に関する。
【背景技術】
【０００２】
従来、例えば惣菜パンや菓子パン等の食品が内包される包材が一般的に知られている（例えば、特許文献１参照）。このような包材は、概略的に、一対のフィルムを重畳させて端部にて相互に接合し、これら一対のフィルムの相互間に形成された空間の内部に食品を収容可能に構成されている。
【０００３】
このような包材の内部の食品を食べる際には、食品で手が汚れてしまわないように、当該包材越しに食品を手で掴んで食べる事があった。具体的には、まず、一対のフィルムの一辺を相互に剥離して開口部とし、食品を当該開口部から引っ張り出して、食品の一部分を当該開口部から外部に露出させると共に、食品の他の部分を開口部よりも内部に収容した状態とする。そして、包材の内部に収容された部分を包材越しに手で掴んで、開口部の外部に露出した部分を、開口部の外部に随時引張出しながら食べる事があった。
【先行技術文献】
【特許文献】
【０００４】
【特許文献１】特開２０１０−２４１４３９号公報
【発明の概要】
【発明が解決しようとする課題】
【０００５】
しかしながら、上述したような食べ方をすると、開口部の外部に食品を引っ張り出す際に食品を掴むため、結局食品を手で直接触れる必要があり、手が汚れてしまう可能性があった。また、食品を手で直接触れずに、包材を手繰り寄せることによって食品の一部を開口部から露出させる事もできるが、このように手繰り寄せる場合には一旦食品から手を離す必要があるため、食品が開口部から外部に落ちてしまう可能性があった。
【０００６】
したがって、包材の内容物（上記の食品に該当）を手で直接触れることなく内容物を包材の外部に露出させることができると共に、内容物を落としてしまう可能性を低減させる事ができる包材が要望されていた。
【０００７】
本発明は、上記に鑑みてなされたものであって、包材の内容物を手で直接触れることなく内容物を包材の外部に露出させることができると共に、内容物を落としてしまう可能性を低減する事ができる包材を提供することを目的とする。
【課題を解決するための手段】
【０００８】
上述した課題を解決し、目的を達成するために、請求項１に記載の包材は、内容物を収容するための包材であって、第１フィルムと、前記第１フィルムに対して重畳配置される第２フィルムであって、前記第１フィルムとの相互間に前記内容物を収容するための収容領域を確保可能な第２フィルムと、前記第１フィルム又は前記第２フィルムのうち少なくとも一方の対象フィルムが前記収容領域を露出する方向に向かって反り返るように、前記対象フィルムを付勢する付勢手段と、を備え、前記収容領域を囲繞する囲繞領域に含まれる領域であって、第１方向に沿った線状の領域である第１領域と、前記囲繞領域に含まれる領域であって、前記第１方向と異なる第２方向に沿った線状の領域であり、前記第１領域に対して接する領域である第２領域と、において、前記第１フィルムと前記第２フィルムとを相互に剥離可能に連結し、前記付勢手段は、前記対象フィルムに対して取り付けられた付勢ワイヤーであって、前記対象フィルムが前記第１フィルム又は前記第２フィルムのうちの前記対象フィルム以外のフィルムから剥離される方向に向かうように、かつ、前記対象フィルムが前記収容領域を露出する方向に向かって反り返るように、前記対象フィルムを付勢する付勢ワイヤーである。
【００１２】
また、請求項２に記載の包材は、請求項１に記載の包材において、前記第１方向と前記第２方向は相互に直交し、前記第２領域は、前記第１領域の一方の端部に接する領域と、前記第１領域の他方の端部に接する領域との２箇所に形成される。
【発明の効果】
【００１３】
請求項１に記載の本発明によれば、第１方向に沿った線状の領域である第１領域と、第１方向と異なる第２方向に沿った線状の領域であり、第１領域に対して接する領域である第２領域と、において、第１フィルムと第２フィルムとを相互に剥離可能に連結するので、第１フィルムと第２フィルムとを相互に剥離させることにより、内容物の一部分が第１フィルム及び第２フィルムに収容された状態であって、かつ内容物の他の部分が外部に露出した状態とすることができ、包材の内容物を手で直接触れることなく内容物を包材の外部に露出させることが可能となると共に、内容物の位置を移動させることなく内容物を外部に露出でき、内容物を落としてしまう可能性を低減する事が可能となる。
また、対象フィルムを付勢する付勢手段を備えるので、対象フィルムを自動で反り返して収容領域を露出させる事ができ、対象フィルムを反り返す手間を省略できる。
また、付勢ワイヤーにより対象フィルムを付勢するので、付勢ワイヤーの付勢力を利用した極めて簡素な構成により対象フィルムを自動で反り返す事ができる。
【００１７】
請求項２に記載の本発明によれば、第１方向と前記第２方向は相互に直交し、第２領域は、前記第１領域の一方の端部に接する領域と、前記第１領域の他方の端部に接する領域との２箇所に形成されるので、極めて簡素な構成により第１フィルム又は第２フィルムを第２方向に反って丸めて、内容物を外部に露出させる事ができる。
【図面の簡単な説明】
【００１８】
【図１】本発明の実施の形態１に係る包材を示す図であり、図１（ａ）は平面図、図１（ｂ）は正面図である。
【図２】包材の斜視図である。
【図３】開封方法の手順１を示す包材の斜視図である。
【図４】開封方法の手順２を示す包材の斜視図である。
【図５】本発明の実施の形態２に係る包材の斜視図である。
【図６】本発明の実施の形態３に係る包材の斜視図である。
【発明を実施するための形態】
【００１９】
以下に添付図面を参照して、この発明に係る包材の実施の形態を詳細に説明する。まず、〔Ｉ〕実施の形態の基本的概念を説明した後、〔II〕実施の形態の具体的内容について説明し、〔III〕最後に、実施の形態に対する変形例について説明する。ただし、実施の形態によって本発明が限定されるものではない。
【００２０】
〔Ｉ〕実施の形態の基本的概念
まず、実施の形態の基本的概念について説明する。各実施の形態に係る包材は、内容物を収容するためのものである。ここで、「収容する」とは、少なくとも一部を覆う事であり、密封する事に限らず、内容物の一部が外部に露出していても構わない。また、内容物を収容する事の目的は任意で、各実施の形態では、流通等の過程において内容物が外部から汚されてしまったり、逆に内容物によって外部が汚れてしまったりする事を防止する事や、内容物の鮮度を維持する事を主な目的とする。
【００２１】
〔II〕実施の形態の具体的内容
次に、各実施の形態の具体的内容について説明する。
【００２２】
（実施の形態１）
初めに、実施の形態１について説明する。
【００２３】
（構成）
まず、本実施の形態１に係る包材１の具体的な構成について説明する。図１は、本実施の形態１に係る包材１を示す図であり、図１（ａ）は平面図、図１（ｂ）は正面図である。また、図２は、包材１の斜視図である。これらの図１及び図２に示すように、包材１は、第１フィルム１０、及び第２フィルム２０を備えて構成されており、内部に内容物３０を収容している。ここで、以下ではこれらの内容物３０、第１フィルム１０、及び第２フィルム２０についてまず説明する。なお、以下では、必要に応じて、この図１におけるＸ−Ｘ’方向を「幅方向」又は「横方向」と称し、特にＸ方向を「右方向」、Ｘ’方向を「左方向」と称する。また、Ｙ−Ｙ’方向を「奥行き方向」又は「縦方向」と称し、特にＹ方向を「前方向」、Ｙ’方向を「後方向」と称する。また、Ｚ−Ｚ’方向を「高さ方向」又は「厚み方向」と称し、特にＺ方向を「上方向」、Ｚ’方向を「下方向」と称する。また、包材１の各部を基準として、包材１の中心に近づく方向を「内側」、中心から離れる方向を「外側」と称して説明する。
【００２４】
（構成−内容物）
内容物３０は、包材１によって収容される対象となる物である。この内容物３０としては、包材１に収容可能なあらゆる物が該当し、代表的には惣菜パンや菓子パン等の食品であるが、これに限られない。なお、各図においては、簡略化のために、内容物３０を楕円体の物として図示しているが、内容物３０の形状や大きさについては任意である。
【００２５】
（構成−第１フィルム）
第１フィルム１０は、内容物３０を覆うフィルムである。この第１フィルム１０は、第２フィルム２０の上方の位置において第２フィルム２０に対して重畳配置されており、第１フィルム１０と第２フィルム２０によって、内容物３０を挟み込むように配置されている。この第１フィルム１０の形状は、内容物３０の少なくとも一部を覆う事が可能である限り任意であり、例えば平面視三角形状や円形状のフィルムであっても構わないが、本実施の形態１では平面視略長方形状の薄いフィルムであるものとする。なお、実際にはこの第１フィルム１０や後述する第２フィルム２０は縦横の面に対して厚みが極めて小さいフィルムであるが、各図においては見易くするために、フィルムを厚く図示している。
【００２６】
ここで、この第１フィルム１０と第２フィルム２０との相互間には内容物３０が配置されており、この内容物３０により第１フィルム１０が上方向に押されることによって、図１（ｂ）に示すように第１フィルム１０は上方向に突出するように変形している。また、この第１フィルム１０の素材は任意で、以下では透明の樹脂製であって、外部から内容物３０が視認可能な素材であるものとするが、これに限らず有色の素材等でも構わない。
【００２７】
（構成−第２フィルム）
第２フィルム２０は、第１フィルム１０に対して重畳配置されるフィルムであって、第１フィルム１０との相互間に前記内容物３０を収容するための収容領域Ｅｓ（後述する）を確保可能なフィルムである。具体的には、この第２フィルム２０は、第１フィルム１０の下方の位置において第１フィルム１０に対して重畳配置されており、第１フィルム１０と第２フィルム２０によって、内容物３０を挟み込むように配置されている。
【００２８】
ここで、この第２フィルム２０の形状や素材等は第１フィルム１０と同様であるため、詳細な説明を省略する。また、上述したように、第１フィルム１０と第２フィルム２０との相互間には内容物３０が配置されており、この内容物３０により第２フィルム２０が下方向に押されることによって、図１（ｂ）に示すように第２フィルム２０は下方向に突出するように変形している。
【００２９】
ここで、「収容領域」Ｅｓとは、第１フィルム１０と第２フィルム２０との相互間に位置する領域で、内容物３０を収容するための領域である。この収容領域Ｅｓの形状や大きさは、内容物３０を収容可能な限り任意で、本実施の形態１においては第１フィルム１０及び第２フィルム２０の相互間の略楕円体形状の領域を示す。
【００３０】
次に、第１フィルム１０と第２フィルム２０とを連結する部分について説明する。ここで、収容領域Ｅｓを囲繞する囲繞領域に含まれる領域であって、第１方向に沿った線状の領域である第１領域Ｅ１と、囲繞領域に含まれる領域であって、第１方向と異なる第２方向に沿った線状の領域であり、第１領域Ｅ１に対して接する領域である第２領域Ｅ２と、において、第１フィルム１０と第２フィルム２０とは相互に剥離可能に連結されている。
【００３１】
ここで、「第１領域」Ｅ１とは、収容領域Ｅｓの少なくとも一部を囲繞する領域であり、第１方向（本実施の形態１では奥行き方向）に沿った領域である。具体的には、各図において一点鎖線で示された線状の領域であって、内容物３０の幅方向両側方に位置しており、いずれの第１領域Ｅ１も前後方向に沿って形成されている。
【００３２】
また、「第２領域」Ｅ２とは、収容領域Ｅｓの少なくとも一部を囲繞する領域であり、第２方向（本実施の形態１では幅方向）に沿った領域であって、第１領域Ｅ１に対して接する領域である。具体的には、各図において二点鎖線で示された線状の領域であって、内容物３０の奥行き方向両側方に位置しており、いずれの第２領域Ｅ２も幅方向に沿って形成されている。なお、第２方向は第１方向と異なる方向であれば構わず、例えば本実施の形態１のように第１方向と第２方向とが相互に直交していなくても良く、鋭角や鈍角で交わっていても構わない。また、「第１領域Ｅ１に対して接する」とは、第１領域Ｅ１と第２領域Ｅ２とが少なくとも一部において接していれば構わず、例えば本実施の形態１のように第１領域Ｅ１の端部と第２領域Ｅ２の端部とが接している事を含む。
【００３３】
また、「相互に剥離可能に連結」とは、第１フィルム１０と第２フィルム２０とを、連結しつつ何等かの手段で剥離可能とする事を示し、本実施の形態１では、第１フィルム１０と第２フィルム２０との外縁部分を熱溶着等の公知の方法で連結し、当該連結箇所より内側に位置する第１領域Ｅ１及び第２領域Ｅ２に沿ってミシン目を設け、ミシン目で第１フィルム１０及び第２フィルム２０を破断させることにより、フィルム同士を相互に剥離可能な構成であるものとして説明する。ただし、このような構成に限らず、例えば第１フィルム１０と第２フィルム２０との相互間に、人の手で剥離可能な程度の接着力の熱溶融性接着剤を設けてヒートシールすることにより連結し、この熱溶融性接着剤の設置箇所に沿って第１フィルム１０と第２フィルム２０とが相互に剥離可能な構成としても構わない。また、第１領域Ｅ１と第２領域Ｅ２とで連結の方法は異なるものとしても構わず、例えば第１領域Ｅ１では熱溶融性接着剤を設けて連結し、第２領域Ｅ２ではミシン目を設けて連結しても構わない。
【００３４】
（開封方法）
続いて、本実施の形態１に係る包材１の開封方法について説明する。
【００３５】
図３は、開封方法の手順１を示す包材１の斜視図である。この手順１に示すように、まずは第１剥離工程を行う。この第１剥離工程は、概略的に、第１領域Ｅ１において第１フィルム１０と第２フィルム２０とを相互に剥離する工程である。具体的には、第１フィルム１０の右端部と第２フィルム２０の右端部とをつまんで、それぞれが離れる方向に引っ張ることにより、右端の第１領域Ｅ１のミシン目に沿って第１フィルム１０と第２フィルム２０とを相互に剥離させる。このことにより、包材１の右端部にのみ開口部が形成され、当該開口部によって、収容領域Ｅｓの右端部のみが露出した状態となる。なお、いずれか一つの第１領域Ｅ１のみ剥離させれば十分であり、本実施の形態１では右方の第１領域Ｅ１を剥離させるので、左方の第１領域Ｅ１は剥離させる必要はない。
【００３６】
図４は、開封方法の手順２を示す包材１の斜視図である。この手順２に示すように、続いて、第２剥離工程、及び巻取り工程を順次行う。第２剥離工程は、第２領域Ｅ２において第１フィルム１０と第２フィルム２０とを相互に剥離する工程である。具体的には、上述した第１剥離工程にて形成した開口部から指を入れて、各フィルムが相互に離れる方向に引き裂くことにより、第２領域Ｅ２のミシン目に沿って第１フィルム１０と第２フィルム２０とを相互に剥離させる。なお、第２領域Ｅ２の全部を剥離させる必要はなく、少なくとも内容物３０の一部を露出可能な位置まで剥離させれば十分であり、図では幅方向略中央位置まで引き裂いた状態を図示している。また、いずれか一つの第２領域Ｅ２のみ剥離させれば十分であるが、本実施の形態１では前方の第２領域Ｅ２及び後方の第２領域Ｅ２の両方を、同一の幅方向の位置まで引き裂いている。
【００３７】
巻取り工程は、第１フィルム１０又は第２フィルム２０のうち少なくとも一方の対象フィルムが収容領域Ｅｓを露出する方向に向かって反り返るように、対象フィルムを巻取る工程である。すなわち、上述した第１剥離工程及び第２剥離工程において第１フィルム１０及び第２フィルム２０の右半分が相互に剥離した状態となっており、かつ第１領域Ｅ１と第２領域Ｅ２は相互に異なる方向であるため、第１フィルム１０及び第２フィルム２０の右半分を巻取る事が可能である。具体的には、第１フィルム１０の右端部を持って左方向に向かって丸めていき、同様に第２フィルム２０の右端部を持って左方向に丸めていく。なお、このような作業は、内容物３０が落下しないためにも、内容物３０を第１フィルム１０及び第２フィルム２０越しに掴んだ状態で行う事が好ましい。なお、本実施の形態１では第１フィルム１０及び第２フィルム２０の両方を対象フィルムとし、これらの対象フィルムを巻取ったが、これに限らず、第１フィルム１０又は第２フィルム２０のうち一方のみを巻取っても構わない。
【００３８】
このような巻取り工程により、内容物３０の左半分が第１フィルム１０及び第２フィルム２０に覆われ、一方内容物３０の右半分が外部に露出するので、左半分を第１フィルム１０及び第２フィルム２０越しに掴んだ状態で右半分を食べる事ができる。このように、左半分をフィルム越しに掴めるので、内容物３０によって手が汚れてしまう事を防止しつつ内容物３０を食べる事ができる。また、内容物３０をずらして位置を移動させる事なく内容物３０を食べる事ができるので、内容物３０を落下させてしまう可能性を低減できる。なお、内容物３０を食べ進むに応じて、上述した第２剥離工程及び巻取り工程を適宜行うことにより、内容物３０をさらに露出させる事ができ、内容物３０を好適に食べる事ができる。
【００３９】
（実施の形態１の効果）
このように、本実施の形態１の包材１によれば、第１方向に沿った線状の領域である第１領域Ｅ１と、第１方向と異なる第２方向に沿った線状の領域であり、第１領域Ｅ１に対して接する領域である第２領域Ｅ２と、において、第１フィルム１０と第２フィルム２０とを相互に剥離可能に連結するので、第１フィルム１０と第２フィルム２０とを相互に剥離させることにより、内容物３０の一部分が第１フィルム１０及び第２フィルム２０に収容された状態であって、かつ内容物３０の他の部分が外部に露出した状態とすることができ、包材１の内容物３０を手で直接触れることなく内容物３０を包材１の外部に露出させることが可能となると共に、内容物３０の位置を移動させることなく内容物３０を外部に露出でき、内容物３０を落としてしまう可能性を低減する事が可能となる。
【００４０】
また、第１方向と前記第２方向は相互に直交し、第２領域Ｅ２は、前記第１領域Ｅ１の一方の端部に接する領域と、前記第１領域Ｅ１の他方の端部に接する領域との２箇所に形成されるので、極めて簡素な構成により第１フィルム１０又は第２フィルム２０を第２方向に反って丸めて、内容物３０を外部に露出させる事ができる。
【００４１】
（実施の形態２）
続いて、実施の形態２について説明する。
【００４２】
（概要）
この実施の形態２は、概略的に、第１フィルム１０及び第２フィルム２０が自動で丸まる構成とするために、付勢フィルム４０を備えた構成である。ここで、この実施の形態２の構成は、特記する場合を除いて、実施の形態１の構成と略同一であり、実施の形態１の構成と略同一の構成についてはこの実施の形態１で用いたものと同一の符号又は名称を必要に応じて付して、その説明を省略する。
【００４３】
（構成）
まず、実施の形態２に係る包材２の構成について説明する。図５は、本実施の形態２に係る包材２の斜視図である。なお、図５においては、上述した図４に示す実施の形態１の手順２にて示す状態と対応する状態を図示している。後述する図６についても同様である。この図５に示すように、本実施の形態２に係る包材２は、第１フィルム１０、第２フィルム２０、及び付勢フィルム４０を備えて構成されている。なお、第１フィルム１０、第２フィルム２０、及びこれら第１フィルム１０及び第２フィルム２０の内部に収容された内容物３０、については、実施の形態１と同様に構成できるため、詳細な説明を省略する。
【００４４】
（構成−付勢フィルム）
付勢フィルム４０は、第１フィルム１０又は第２フィルム２０のうち少なくとも一方の対象フィルムが収容領域Ｅｓを露出する方向に向かって反り返るように、対象フィルムを付勢する付勢手段である。具体的には、付勢フィルム４０は、対象フィルムに対して密着するように取り付けられる付勢フィルム４０であって、前記対象フィルムと異なる反り率のフィルムである。より具体的には、この付勢フィルム４０は第１フィルム１０の上面及び第２フィルム２０の下面のそれぞれに対して貼り付けられており、第１フィルム１０や第２フィルム２０と同一の長方形状に形成されている。そして、各付勢フィルム４０は、対象フィルムよりも反り率が大きく、この反り率の相違によって対象フィルムが収容領域Ｅｓを露出する方向に向かって反り返るように、対象フィルムを付勢する。したがって、第１剥離工程及び第２剥離工程を終えた段階で、付勢フィルム４０が対象フィルムを付勢することによって対象フィルムが丸められるため、人の手で巻取り工程を行う必要がなくなり利便性を向上できる。
【００４５】
（実施の形態２の効果）
このように、本実施の形態２の包材２によれば、対象フィルムを付勢する付勢フィルム４０を備えるので、対象フィルムを自動で反り返して収容領域Ｅｓを露出させる事ができ、対象フィルムを反り返す手間を省略できる。
【００４６】
また、対象フィルムと異なる反り率の付勢フィルム４０により対象フィルムを付勢するので、付勢フィルム４０の付勢力を利用した極めて簡素な構成により対象フィルムを自動で反り返す事ができる。
【００４７】
（実施の形態３）
続いて、実施の形態３について説明する。
【００４８】
（概要）
この実施の形態３は、概略的に、第１フィルム１０及び第２フィルム２０が自動で丸まる構成とするために、付勢ワイヤー５０を備えた構成である。ここで、この実施の形態３の構成は、特記する場合を除いて、実施の形態１の構成と略同一であり、実施の形態１の構成と略同一の構成についてはこの実施の形態１で用いたものと同一の符号又は名称を必要に応じて付して、その説明を省略する。
【００４９】
（構成）
まず、実施の形態３に係る包材３の構成について説明する。図６は、本実施の形態３に係る包材３の斜視図である。この図６に示すように、本実施の形態３に係る包材３は、第１フィルム１０、第２フィルム２０、及び付勢ワイヤー５０を備えて構成されている。なお、第１フィルム１０、第２フィルム２０、及びこれら第１フィルム１０及び第２フィルム２０の内部に収容された内容物３０、については、実施の形態１と同様に構成できるため、詳細な説明を省略する。
【００５０】
（構成−付勢ワイヤー）
付勢ワイヤー５０は、対象フィルムに対して取り付けられたワイヤーであって、第１フィルム１０又は第２フィルム２０のうち少なくとも一方の対象フィルムが収容領域Ｅｓを露出する方向に向かって反り返るように、対象フィルムを付勢する付勢手段である。具体的には、この付勢ワイヤー５０は、第１フィルム１０の前端部及び後端部、並びに第２フィルム２０の前端部及び後端部に取り付けられており、いずれの付勢ワイヤー５０も幅方向に沿うように配置された長尺部材である。各ワイヤーは、第１フィルム１０と第２フィルム２０との接合面から離れる方向に反るように張られている。したがって、第１剥離工程及び第２剥離工程を終えた段階で、付勢ワイヤー５０が対象フィルムを付勢することによって対象フィルムが丸められるため、人の手で巻取り工程を行う必要がなくなり利便性を向上できる。
【００５１】
（実施の形態３の効果）
このように、本実施の形態３の包材３によれば、対象フィルムを付勢する付勢ワイヤー５０を備えるので、対象フィルムを自動で反り返して収容領域Ｅｓを露出させる事ができ、対象フィルムを反り返す手間を省略できる。
【００５２】
また、付勢ワイヤー５０により対象フィルムを付勢するので、付勢ワイヤー５０の付勢力を利用した極めて簡素な構成により対象フィルムを自動で反り返す事ができる。
【００５３】
〔III〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００５４】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、各実施の形態に係る方法により、包材１、２、３の内容物３０を手で直接触れることなく内容物３０を包材１、２、３の外部に露出させることができない場合や、内容物３０を落としてしまう可能性を低減させる事ができない場合であっても、従来と異なる技術により包材１、２、３を構成出来ている場合には、本願発明の課題が解決されている。
【００５５】
（寸法や材料について）
発明の詳細な説明や図面で説明した包材１、２、３の各部の寸法、形状、材料、比率等は、あくまで例示であり、その他の任意の寸法、形状、材料、比率等とすることができる。
【００５６】
（各工程間の関係について）
各実施の形態では、第１剥離工程の後に第２剥離工程を行っているが、これらは相互にその順番を入れ替える事ができる。
【００５７】
（第１領域及び第２領域について）
各実施の形態では、包材１、２、３の左右に第１領域Ｅ１を設け、包材１、２、３の前後に第２領域Ｅ２を設けることにより、一組ずつの第１領域Ｅ１と第２領域Ｅ２を設けるものとして説明したが、これに限られず、第１領域Ｅ１及び第２領域Ｅ２は最低一つずつ設ければ構わない。例えば、左の第１領域Ｅ１や前の第２領域Ｅ２、又はこれらの両方を省略し、剥離不可能に連結しても構わない。また、各実施の形態では第１領域Ｅ１及び第２領域Ｅ２は直線状の領域であるものとしたが、これに限らず、曲線状の領域であっても構わない。
【００５８】
（付記）
付記１の包材は、内容物を収容するための包材であって、第１フィルムと、前記第１フィルムに対して重畳配置される第２フィルムであって、前記第１フィルムとの相互間に前記内容物を収容するための収容領域を確保可能な第２フィルムとを備え、前記収容領域を囲繞する囲繞領域に含まれる領域であって、第１方向に沿った線状の領域である第１領域と、前記囲繞領域に含まれる領域であって、前記第１方向と異なる第２方向に沿った線状の領域であり、前記第１領域に対して接する領域である第２領域と、において、前記第１フィルムと前記第２フィルムとを相互に剥離可能に連結する。
【００５９】
また、付記２の包材は、付記１に記載の包材において、前記第１フィルム又は前記第２フィルムのうち少なくとも一方の対象フィルムが前記収容領域を露出する方向に向かって反り返るように、前記対象フィルムを付勢する付勢手段を備える。
【００６０】
また、付記３の包材は、付記２に記載の包材において、前記付勢手段は、前記対象フィルムに対して密着するように取り付けられる付勢フィルムであって、前記対象フィルムと異なる反り率の付勢フィルムである。
【００６１】
また、付記４の包材は、付記２又は３に記載の包材において、前記付勢手段は、前記対象フィルムに対して取り付けられた付勢ワイヤーであって、前記対象フィルムが前記収容領域を露出する方向に向かって反り返るように、前記対象フィルムを付勢する付勢ワイヤーである。
【００６２】
また、付記５の包材は、付記１から４のいずれか一項に記載の包材において、前記第１方向と前記第２方向は相互に直交し、前記第２領域は、前記第１領域の一方の端部に接する領域と、前記第１領域の他方の端部に接する領域との２箇所に形成される。
【００６３】
（付記の効果）
付記１に記載の本発明によれば、第１方向に沿った線状の領域である第１領域と、第１方向と異なる第２方向に沿った線状の領域であり、第１領域に対して接する領域である第２領域と、において、第１フィルムと第２フィルムとを相互に剥離可能に連結するので、第１フィルムと第２フィルムとを相互に剥離させることにより、内容物の一部分が第１フィルム及び第２フィルムに収容された状態であって、かつ内容物の他の部分が外部に露出した状態とすることができ、包材の内容物を手で直接触れることなく内容物を包材の外部に露出させることが可能となると共に、内容物の位置を移動させることなく内容物を外部に露出でき、内容物を落としてしまう可能性を低減する事が可能となる。
【００６４】
付記２に記載の本発明によれば、対象フィルムを付勢する付勢手段を備えるので、対象フィルムを自動で反り返して収容領域を露出させる事ができ、対象フィルムを反り返す手間を省略できる。
【００６５】
付記３に記載の本発明によれば、対象フィルムと異なる反り率の付勢フィルムにより対象フィルムを付勢するので、付勢フィルムの付勢力を利用した極めて簡素な構成により対象フィルムを自動で反り返す事ができる。
【００６６】
付記４に記載の本発明によれば、付勢ワイヤーにより対象フィルムを付勢するので、付勢ワイヤーの付勢力を利用した極めて簡素な構成により対象フィルムを自動で反り返す事ができる。
【００６７】
付記５に記載の本発明によれば、第１方向と前記第２方向は相互に直交し、第２領域は、前記第１領域の一方の端部に接する領域と、前記第１領域の他方の端部に接する領域との２箇所に形成されるので、極めて簡素な構成により第１フィルム又は第２フィルムを第２方向に反って丸めて、内容物を外部に露出させる事ができる。
【符号の説明】
【００６８】
１、２、３  包材
１０  第１フィルム
２０  第２フィルム
３０  内容物
４０  付勢フィルム
５０  付勢ワイヤー
Ｅ１  第１領域
Ｅ２  第２領域
Ｅｓ  収容領域
【図１】
0006580468.tif 000002
【図２】
0006580468.tif 000003
【図３】
0006580468.tif 000004
【図４】
0006580468.tif 000005
【図５】
0006580468.tif 000006
【図６】
0006580468.tif 000007